【手続補正書】
【提出日】平成24年2月8日(2012.2.8)
【手続補正１】
【補正対象書類名】特許請求の範囲
【補正対象項目名】全文
【補正方法】変更
【補正の内容】
【特許請求の範囲】
【請求項１】
プラスチック光ファイバ（ＰＯＦ）ベースの反射スターカプラ（２００）であって、
中空の円筒形の保持管（２１０）を備え、前記保持管は、前記保持管（２１０）の前端部（２１０Ａ）で複数のプラスチック光ファイバ（ＰＯＦ）（２０１−２０７）を収容するとともに前記保持管（２１０）の後端部（２１０Ｂ）でミキシングロッド（２２０）を収容するためのものであり、
各ＰＯＦの後端部（２０１Ｂ−２０７Ｂ）は、前記ミキシングロッド（２２０）の前面（２２０Ａ）に取付けられ、前記ミキシングロッド（２２０）の後部凸面（２２０Ｄ）は、研磨され、高反射被膜で被覆されて、凸反射面を形成し、前記ＰＯＦ（２０１−２０７）、前記ミキシングロッド（２２０）、および前記保持管（２１０）は、同様の屈折率および材料特性を有する同様の材料から作られる、プラスチック光ファイバ（ＰＯＦ）ベースの反射スターカプラ。
【請求項２】
前記ミキシングロッド（２２０）の外径は、前記保持管（２１０）の内径に一致する、請求項１に記載の反射スターカプラ（２００）。
【請求項３】
前記ミキシングロッド（２２０）は、前記保持管（２１０）の内側表面に、宇宙仕様のＵＶエポキシ樹脂を用いて取付けられる、請求項１に記載の反射スターカプラ（２００）。
【請求項４】
前記ＰＯＦ（２０１−２０７）は、前記保持管（２１０）の内側表面に、宇宙仕様のＵＶエポキシ樹脂を用いて取付けられる、請求項１に記載の反射スターカプラ（２００）。
【請求項５】
前記保持管（２１０）は、アルミニウム酸窒化物から製造される、請求項１に記載の反射スターカプラ（２００）。
【請求項６】
前記ミキシングロッド（２２０）は、ポリメタクリル酸メチル（ＰＭＭＡ）で作られる、請求項１に記載の反射スターカプラ（２００）。
【請求項７】
前記ミキシングロッド（２２０）の前記後部面（２２０Ｄ）にある前記反射被膜は、入力信号を反射する凹面鏡を提供する、請求項１に記載の反射スターカプラ（２００）。
【請求項８】
前記ＰＯＦ（２０１−２０７）および前記ミキシングロッド（２２０）を取付けられた前記保持管（２１０）は、気密封止パッケージに入れられる、請求項１に記載の反射スターカプラ（２００）。
【請求項９】
反射スターカプラ（２００）の製造方法であって、
複数のプラスチック光ファイバ（ＰＯＦ）（２０１−２０７）を、保持管（２１０）に挿入するステップと、
研磨された後部凸面（２２０Ｄ）を有するミキシングロッド（２２０）を形成し、前記ミキシングロッド（２２０）の前記後部面を高反射材料で被覆するステップと、
前記保持管（２１０）の内部で、各プラスチック光ファイバの後端部（２０１Ｂ−２０７Ｂ）に前記ミキシングロッド（２２０）の前面（２２０Ａ）を取付けるステップと、
前記ＰＯＦ（２０１−２０７）および前記ミキシングロッド（２２０）を、前記保持管（２１０）の内側にエポキシ樹脂を用いて取付けるステップと、
前記ＰＯＦ（２０１−２０７）および前記ミキシングロッド（２２０）を取付けられた前記保持管（２１０）を、気密封止パッケージに入れるステップとを備える、反射スターカプラ（２００）の製造方法。
【請求項１０】
前記ＰＯＦ（２０１−２０７）、前記ミキシングロッド（２２０）、および前記保持管（２１０）を、同様の屈折率および同様の材料特性を有する同様の材料から作るステップをさらに備える、請求項９に記載の方法。
【手続補正２】
【補正対象書類名】明細書
【補正対象項目名】００３０
【補正方法】変更
【補正の内容】
【００３０】
前述の説明から、開示された開示内容およびその均等物は、さまざまな形態で実現化できることが理解されるであろう。したがって、この開示は、特定の実施例に関連して説明されたが、この開示の真の範囲は、この明細書中に説明された特定の実施例によってではなく、以下の請求項および当業者が考えつくであろうこの請求項の任意の均等物によって限定されるべきである。
また、本願は以下に記載する態様を含む。
（態様１）
プラスチック光ファイバ（ＰＯＦ）ベースの反射スターカプラ（２００）であって、
中空の円筒形の保持管（２１０）を備え、前記保持管は、前記保持管（２１０）の前端部（２１０Ａ）で複数のプラスチック光ファイバ（ＰＯＦ）（２０１−２０７）を収容するとともに前記保持管（２１０）の後端部（２１０Ｂ）でミキシングロッド（２２０）を収容するためのものであり、
各ＰＯＦの後端部（２０１Ｂ−２０７Ｂ）は、前記ミキシングロッド（２２０）の前面（２２０Ａ）に取付けられ、前記ミキシングロッド（２２０）の後部凸面（２２０Ｄ）は、研磨され、高反射被膜で被覆されて、凸反射面を形成し、前記ＰＯＦ（２０１−２０７）、前記ミキシングロッド（２２０）、および前記保持管（２１０）は、同様の屈折率および材料特性を有する同様の材料から作られる、プラスチック光ファイバ（ＰＯＦ）ベースの反射スターカプラ。
（態様２）
前記ミキシングロッド（２２０）の外径は、前記保持管（２１０）の内径に一致する、態様１に記載の反射スターカプラ（２００）。
（態様３）
前記ミキシングロッド（２２０）は、前記保持管（２１０）の内側表面に、宇宙仕様のＵＶエポキシ樹脂を用いて取付けられる、態様１に記載の反射スターカプラ（２００）。
（態様４）
前記ＰＯＦ（２０１−２０７）は、前記保持管（２１０）の内側表面に、宇宙仕様のＵＶエポキシ樹脂を用いて取付けられる、態様１に記載の反射スターカプラ（２００）。
（態様５）
前記保持管（２１０）は、アルミニウム酸窒化物から製造される、態様１に記載の反射スターカプラ（２００）。
（態様６）
前記ミキシングロッド（２２０）は、ポリメタクリル酸メチル（ＰＭＭＡ）で作られる、態様１に記載の反射スターカプラ（２００）。
（態様７）
前記ミキシングロッド（２２０）の前記後部面（２２０Ｄ）にある前記反射被膜は、入力信号を反射する凹面鏡を提供する、態様１に記載の反射スターカプラ（２００）。
（態様８）
前記ＰＯＦ（２０１−２０７）および前記ミキシングロッド（２２０）を取付けられた前記保持管（２１０）は、気密封止パッケージに入れられる、態様１に記載の反射スターカプラ（２００）。
（態様９）
反射スターカプラ（２００）の製造方法であって、
複数のプラスチック光ファイバ（ＰＯＦ）（２０１−２０７）を、保持管（２１０）に挿入するステップと、
研磨された後部凸面（２２０Ｄ）を有するミキシングロッド（２２０）を形成し、前記ミキシングロッド（２２０）の前記後部面を高反射材料で被覆するステップと、
前記保持管（２１０）の内部で、各プラスチック光ファイバの後端部（２０１Ｂ−２０７Ｂ）に前記ミキシングロッド（２２０）の前面（２２０Ａ）を取付けるステップと、
前記ＰＯＦ（２０１−２０７）および前記ミキシングロッド（２２０）を、前記保持管（２１０）の内側にエポキシ樹脂を用いて取付けるステップと、
前記ＰＯＦ（２０１−２０７）および前記ミキシングロッド（２２０）を取付けられた前記保持管（２１０）を、気密封止パッケージに入れるステップとを備える、反射スターカプラ（２００）の製造方法。
（態様１０）
前記ＰＯＦ（２０１−２０７）、前記ミキシングロッド（２２０）、および前記保持管（２１０）を、同様の屈折率および同様の材料特性を有する同様の材料から作るステップをさらに備える、態様９に記載の方法。
（態様１１）
前記ミキシングロッド（２２０）の外径は、前記保持管（２１０）の内径に一致する、態様９に記載の方法。
（態様１２）
前記ミキシングロッド（２２０）を、前記保持管（２１０）の内側表面に、宇宙仕様のＵＶエポキシ樹脂を用いて取付けるステップをさらに備える、態様９に記載の方法。
（態様１３）
前記ＰＯＦ（２０１−２０７）を、前記保持管（２１０）の内側表面に、宇宙仕様のＵＶエポキシ樹脂を用いて取付けるステップをさらに備える、態様９に記載の方法。
（態様１４）
前記保持管（２１０）を、アルミニウム酸窒化物から製造するステップをさらに備える、態様９に記載の方法。
（態様１５）
前記ミキシングロッド（２２０）を、ポリメタクリル酸メチル（ＰＭＭＡ）から製造するステップをさらに備える、態様９に記載の方法。
（態様１６）
前記ミキシングロッド（２２０Ｄ）の前記後部面にある反射被膜は、入力信号を反射する凹面鏡を提供する、態様９に記載の方法。